(57)【要約】【課題】雨水の浸入及び結露による水分の発生を、確実に阻止でき、しかも、空気流通路を、簡単、かつ、確実に、安価に形成できる墓用換気具を提供すること。【解決手段】筒体１と、蓋体２と、つば部３とを有する墓用換気具であって、筒体１は、軸方向の一端１２が開口され、軸方向の他端側に、内外に連なる空気流通路１３を有しており、蓋体２は、筒体１の外径よりは大きい内径を有し、一端側が開口し、他端側が天面２１によって閉塞された筒状体であって、筒体１の前記他端側にかぶさり、天面２１の内面が筒体１の前記他端側の端面に結合されており、つば部３は、蓋体２から間隔をおいて筒体１の中間部に備えられている。【選択図】図１
2008057244.tif 000002
【特許請求の範囲】
【請求項１】
筒体と、蓋体と、つば部とを有する墓用換気具であって、
前記筒体は、軸方向の一端が開口され、軸方向の他端側に、内外に連なる空気流通路を有しており、
前記蓋体は、前記筒体の外径よりは大きい内径を有し、一端側が開口し、他端側が天面によって閉塞された筒状体であって、前記筒体の前記他端側にかぶさり、前記天面の内面が前記筒体の前記他端側の端面に結合されており、
前記つば部は、前記蓋体から間隔をおいて前記筒体の中間部に備えられている、
墓用換気具。
【発明の詳細な説明】
【技術分野】
【０００１】
本発明は、墓用換気具に関する。
【背景技術】
【０００２】
周知のように、墓の内部には納骨室が設けられており、骨壷はこの納骨室の内部に収納される。納骨室は、主として、外部から雨水が浸入するのを防止するため、気密度の高い密閉された空間となっている。
【０００３】
しかし、納骨室内の気密性を高めれば、確かに雨水の浸入は阻止できるが、気密性が高まるほどに結露を生じやすくなる。結露に伴う水の発生量はどの程度のものか、一般的な感覚では、大した量ではないとも思えるが、本発明者が確認したところによると、短期間の間に骨壷の全容積を満たすほどの水分量に達する。
【０００４】
上述した結露による水分の発生を抑制するためには、納骨室と外気との空気流通を図ればよい。もっとも、その場合、雨水の浸入までも招いてしまうようなことがあってはならない。また、納骨室は、加工の困難性を伴う石材で囲まれているから、空気流通路をいかにして、簡単、かつ、確実に、安価に形成できるかが、この技術の成否を分ける要素となる。
【０００５】
納骨室に対する雨水浸入防止とともに、結露の発生を阻止することを目的とした従来技術としては、特許文献１に記載されたものが知られている。この先行技術は、墓石を構成する石材の一部に加工を施して、空気流通路を形成する。しかし、この先行技術は、上述した問題点を完全には解決していない。
【特許文献１】特開２００４−１５０２３７号公報
【発明の開示】
【発明が解決しようとする課題】
【０００６】
本発明の課題は、雨水の浸入及び結露による水分の発生を、確実に阻止できる墓用換気具を提供することである。
【０００７】
本発明のもう一つの課題は、空気流通路を、簡単、かつ、確実に、安価に形成できる墓用換気具を提供することである。
【課題を解決するための手段】
【０００８】
上述した課題を解決するため、本発明に係る墓用換気具は、筒体と、蓋体と、つば部とを有する。前記筒体は、軸方向の一端が開口され、軸方向の他端側に、内外に連なる空気流通路を有する。
【０００９】
前記蓋体は、前記筒体の外径よりは大きい内径を有し、一端側が開口し、他端側が天面によって閉塞された筒状体である。この蓋体は、前記筒体の前記他端側にかぶさり、前記天面の内面が前記筒体の前記他端側の端面に結合されている。前記つば部は、前記蓋体から間隔をおいて前記筒体の中間部に備えられている。
【００１０】
本発明に係る墓用換気具は、墓への適用において、墓石の前面に配置される拝み石に取り付けられる。取付に当たっては、拝み石に、貫通孔をあけておき、この貫通孔内に墓用換気具の筒体を差し込む。筒体の中間部には、蓋体から間隔をおいて、つば部が供えられているから、つば部が位置決め部分として機能する。
【００１１】
また、つば部が、拝み石の貫通孔の内周面と、つば部の外周面との間に生じる環状ギャップを閉塞することになる。このため、拝み石と、墓用換気具との間の結合部分から、雨水が納骨室内に浸入するようなことはない。結合部分は、適当なコーキング剤を用いて封止することが好ましい。
【００１２】
筒体は、軸方向の一端が開口され、軸方向の他端側に、内外に連なる空気流通路を有するから、拝み石の貫通孔内に墓用換気具の筒体を差し込んだ場合、納骨室内に突き出た軸方向の一端の開口か、筒体の内部をとおり、軸方向の他端側の空気流通路に連なる通気路が形成される。この通気路によって納骨室が外気と連なり、納骨室内の湿度が結露を生じない適切な湿度状態に保たれる。このため、納骨室内における結露発生が防止される。
【００１３】
筒体の他端側には、蓋体がかぶさっている。この蓋体は、一端側が開口し、他端側が天面によって閉塞された筒状体であり、天面の内面が、筒体の他端側の端面に結合されている。従って、筒体の他端側が、蓋体によって閉じられることになるから、筒体の他端側から雨水が入る余地がなくなる。
【００１４】
しかも、蓋体は、筒体の外径よりは大きい内径を有するから、蓋体の内周面と筒体の外周面との間に、両者の径差に基づくリング状の通気路が形成される。筒体の空気流通路を通る空気は、このリング状の通気路を介して、外気に連なる。従って、蓋体を設け、雨水の浸入を阻止しつつ、納骨室内を、外気と連絡することができる。
【００１５】
更に、拝み石への装着に当たっては、拝み石に筒体を通すに必要な径を有する貫通孔をあけるだけでよいから、石材の加工コストを最小化することができる。
【発明の効果】
【００１６】
以上述べたように、本発明によれば、以下の作用効果を得ることができる。
（１）雨水の浸入及び結露による水分の発生を、確実に阻止できる墓用換気具を提供することができる。
（２）空気流通路を、簡単、かつ、確実に、安価に形成できる墓用換気具を提供することができる。
【発明を実施するための最良の形態】
【００１７】
図１は、本発明に係る墓用換気具の斜視図、図２は図１に示した墓用換気具の断面図である。図示された墓用換気具は、筒体１と、蓋体２と、つば部３とを有する。これらの部材は、耐食性を有する素材から選択され、好ましくは、ステンレスが使用される。又、各部材は、溶接によって接合される。以下、図面１、２を参照して説明する。
【００１８】
筒体１は、軸方向の一端１２が開口され、軸方向の他端側に、内外に連なる空気流通路１３を有する。筒体を構成する筒部１１は、円筒又は角筒のいずれでもよい。
【００１９】
蓋体２は、筒体１の外径よりは大きい内径を有し、一端側が開口し、他端側が天面２１によって閉塞されている。この蓋体２は、筒体１の前記他端側にかぶさり、天面２１の内面が筒体１の前記他端側の端面に結合されている。蓋体２は、天面２１、側面２２からなる角型の形状であり、溶接等によって製造される。
【００２０】
つば部３は、リング状であって、蓋体２から間隔をおいて筒体１の中間部に備えられており、位置決め部分として機能する。
【００２１】
図３は、本発明に係る墓用換気具の使用状態を示す部分断面図である。
本発明に係る墓用換気具４は、墓への適用において、墓石の前面に配置される拝み石５に、取り付けられる。その際、取り付け位置は、香炉８の両端に位置すると好ましい。取り付けに当たっては、拝み石５に、貫通孔をあけておき、この貫通孔内に墓用換気具４の筒体１を差し込む。筒体１の中間部には、蓋体２から間隔をおいて、つば部３が供えられているから、つば部３が位置決め部分として機能する。
【００２２】
また、つば部３が、拝み石５の貫通孔の内周面と、つば部３の外周面との間に生じる環状ギャップを閉塞することになる。このため、拝み石５と、墓用換気具４との間の結合部分から、雨水が納骨室内に浸入するようなことはない。結合部分は、外気による腐食等を防止するため、適当なコーキング剤を用いて封止することが好ましい。
【００２３】
筒体１は、軸方向の一端１２が開口され、軸方向の他端側に、内外に連なる空気流通路１３を有するから、拝み石５の貫通孔内に墓用換気具４の筒体１を差し込んだ場合、納骨室１０内に突き出た軸方向の一端１２の開口が、筒体１の内部をとおり、軸方向の他端側の空気流通路に連なる通気路Ａが形成される。この通気路Ａによって納骨室１０が外気と連なり、納骨室１０内の湿度が結露を生じない適切な湿度状態に保たれる。このため、納骨室１０内における結露発生が防止され、支持台９上の骨壷７内への浸水を防ぐことができる。
【００２４】
筒体１の他端側には、蓋体２がかぶさっている。この蓋体２は、一端側が開口し、他端側が天面２１によって閉塞された筒状体であり、天面２１の内面が、筒体１の他端側の端面に結合されている。従って、筒体１の他端側が、蓋体２によって閉じられることになるから、筒体１の他端側から雨水が入る余地がなくなる。
【００２５】
しかも、蓋体２は、筒体１の外径よりは大きい内径を有するから、蓋体２の内周面と筒体１の外周面との間に、両者の径差に基づくリング状の通気路が形成される。筒体の空気流通路１３を通る空気は、このリング状の通気路を介して、外気に連なる。従って、蓋体２を設け、雨水の浸入を阻止しつつ、納骨室１０内を、外気と連絡することができる。
更に、拝み石への装着に当たっては、拝み石に筒体を通すに必要な径を有する貫通孔をあけるだけでよいから、石材の加工コストを最小化することができる。
【００２６】
図４は、本発明に係る墓用換気具の別の実施例の斜視図、図５は図４に示した墓用換気具の断面図である。上述した図１で示した墓用換気具と、図４で示した墓用換気具は、蓋体２の形状のみ異なるため、重複する部分の説明は省略し、蓋体２の説明を記載する。
【００２７】
図４において、前記蓋体２は、前記筒体１の外径よりは大きい内径を有し、一端側が開口し、他端側が天面２３によって閉塞された筒状体である。この蓋体は、前記筒体の前記他端側にかぶさり、前記天面の内面が前記筒体の前記他端側の端面に結合されている。蓋体２は、きのこ型の形状を採り得る。きのこ型の蓋体は、ヘラ絞りによって一枚の天面２３から製造される。そのため、図１に示されたものよりも、製造が容易である。
【００２８】
以上、好ましい実施形態を参照して本発明の内容を具体的に説明したが、本発明の基本的技術思想及び教示に基づいて、当業者であれば、種々の変形態様を採り得ることは自明である。
【図面の簡単な説明】
【００２９】
【図１】本発明に係る墓用換気具の斜視図である。
【図２】図１に示した墓用換気具の断面図である。
【図３】本発明に係る墓用換気具の使用状態を示す部分断面図である。
【図４】本発明に係る墓用換気具の別の実施例の斜視図である。
【図５】図４に示した墓用換気具の断面図である。
【符号の説明】
【００３０】
１          筒体  
１１          筒部
１２          軸方向の一端
１３          空気流通路    
２          蓋体
２１          天面
２２          側面
３          つば部
【図１】
2008057244.tif 000003
【図２】
2008057244.tif 000004
【図３】
2008057244.tif 000005
【図４】
2008057244.tif 000006
【図５】
2008057244.tif 000007